(57)【要約】【課題】操作部のハードキーを押しながら主電源スイッチをオンすることにより特殊動作モードに移行するときは、特殊動作モードはそのハードキーのそれぞれに割り当てられていた。これに対してタッチパネルに触れながら主電源スイッチをオンして特殊動作モードに移行させようとすると、一つの機能しか割り当てることができない。【解決手段】  情報処理装置とその制御方法であって、タッチパネル機能を有する画面を備えた操作部を有し、電源がオンされたときに、その画面へのユーザのタッチを検知するとその画面にキーボードを表示し、その表示されているキーボードを使用して所定の情報が入力されると、情報処理装置を、その入力された所定の情報に対応する機能を実行するモードに移行させる。【選択図】  図５
2017102740.tif 000002
【特許請求の範囲】
【請求項１】
情報処理装置であって、
タッチパネル機能を有する画面を備えた操作部と、
電源がオンされたときに前記画面へのユーザのタッチを検知すると、前記画面にキーボードを表示するように制御する表示制御手段と、
前記表示制御手段により表示されている前記キーボードを使用して所定の情報が入力されたかどうか検知する検知手段と、
前記検知手段が前記所定の情報が入力されたことを検知すると前記情報処理装置を、前記所定の情報に対応する機能を実行するモードに移行させるように制御する制御手段と、を有することを特徴とする情報処理装置。
【請求項２】
前記検知手段は、前記表示制御手段が前記画面にキーボードを表示してから所定の時間内に、前記キーボードを使用して前記所定の情報が入力されたかどうか検知することを特徴とする請求項１に記載の情報処理装置。
【請求項３】
前記検知手段が、前記所定の時間内に前記キーボードを使用して情報が入力されなかったことを検知すると、前記制御手段は、前記情報処理装置の電源をオフするように制御することを特徴とする請求項２に記載の情報処理装置。
【請求項４】
前記検知手段が、前記所定の時間内に前記キーボードを使用して前記所定の情報とは別の情報が入力されたことを検知すると、前記制御手段は、前記情報処理装置を再起動するように制御することを特徴とする請求項２に記載の報処理装置。
【請求項５】
前記所定の情報に対応する機能を記憶する記憶手段を更に有し、
前記制御手段は、前記検知手段が検知した前記所定の情報に対応する機能を前記記憶手段を参照して決定し、前記情報処理装置を当該決定した機能を実行するモードに移行させるように制御することを特徴とする請求項１に記載の情報処理装置。
【請求項６】
前記画面へのユーザのタッチの検知は、所定回数、連続して前記画面へのユーザのタッチが検知されることにより検知されることを特徴とする請求項１に記載の情報処理装置。
【請求項７】
電源がオンされたときに前記画面へのユーザのタッチが検知されない場合、前記制御手段は、前記情報処理装置を通常の動作モードで起動するように制御することを特徴とする請求項１に記載の情報処理装置。
【請求項８】
前記検知手段が、前記キーボードに含まれる所定のボタンの押下を検知すると、前記制御手段は前記情報処理装置を通常の動作モードで起動するように制御することを特徴とする請求項１に記載の情報処理装置。
【請求項９】
タッチパネル機能を有する画面を備えた操作部を備えた情報処理装置を制御する制御方法であって、
表示制御手段が、電源がオンされたときに前記画面へのユーザのタッチを検知すると、前記画面にキーボードを表示するように制御する表示制御工程と、
検知手段が、前記表示制御工程で表示されている前記キーボードを使用して所定の情報が入力されたかどうか検知する検知工程と、
制御手段が、前記検知工程で前記所定の情報が入力されたことを検知すると前記情報処理装置を、前記所定の情報に対応する機能を実行するモードに移行させるように制御する制御工程と、
を有することを特徴とする情報処理装置の制御方法。
【請求項１０】
コンピュータを、請求項１乃至８のいずれか１項に記載の情報処理装置の各手段として機能させるためのプログラム。
【発明の詳細な説明】
【技術分野】
【０００１】
本発明は、情報処理装置とその制御方法、及びプログラムに関する。
【背景技術】
【０００２】
画像形成装置において、操作部のハードキーを押しながら主電源スイッチをオンすることで、通常動作モード以外の特殊動作モードに移行できるようにしたものがある。この特殊動作モードには、ファームウェアのアップデートを可能にする機能や、ユーザの設定値を全てクリアするなどの機能が含まれている。また、この特殊動作モードは、主電源スイッチをオンする際に押下される操作部のハードキーのそれぞれに対応付けられており、押下されるハードキーの種類に応じて、それぞれ異なる特殊動作モードに移行させることができる。
【０００３】
近年、このような画像形成装置におけるタッチパネル機能付の操作パネルの普及、及びコストダウンの要求から、操作部のハードキーの数を削減する傾向にある。そこで例えば特許文献１には、タッチパネルに触れながら主電源スイッチをオンすることにより、特殊動作モードに移行させることが記載されている。
【先行技術文献】
【特許文献】
【０００４】
【特許文献１】特開２０１３−１１７９１４号公報
【発明の概要】
【発明が解決しようとする課題】
【０００５】
上述したように従来は、特殊動作モードの種類は、操作部ハードキーのそれぞれに割り当てられていたため、タッチパネルに触れながら主電源スイッチをオンする場合は、一つの機能しか割り当てることができない。そこでタッチパネルへのマルチタッチを検出して種々の特殊動作モードに移行できるようにすることも考えられるが、マルチタッチを検出できるマルチタッチパネルを使用するとコストアップにつながる。またマルチタッチパネルは、目標点がわかりづらいので押しにくいという課題もある。
【０００６】
また、このような特殊動作モードへの移行は、容易に誰でも実施できるようにすると、種々の弊害が生じる。特に、簡単な操作で特殊動作モードに移行できるようにすると、操作者が意図していないにもかかわらず特殊動作モードに移行してしまい、その状態から復帰できなくなるなどの問題が生じる可能性がある。
【０００７】
本発明の目的は、上記従来技術の課題を解決することにある。
【０００８】
本発明の特徴は、装置の主電源スイッチをオンするときに、タッチパネルだけを操作して、当該装置を特殊動作モードに移行させることができる技術を提供することにある。
【課題を解決するための手段】
【０００９】
上記目的を達成するために本発明の一態様に係る情報処理装置は以下のような構成を備える。即ち、
情報処理装置であって、
タッチパネル機能を有する画面を備えた操作部と、
電源がオンされたときに前記画面へのユーザのタッチを検知すると、前記画面にキーボードを表示するように制御する表示制御手段と、
前記表示制御手段により表示されている前記キーボードを使用して所定の情報が入力されたかどうか検知する検知手段と、
前記検知手段が前記所定の情報が入力されたことを検知すると前記情報処理装置を、前記所定の情報に対応する機能を実行するモードに移行させるように制御する制御手段と、を有することを特徴とする。
【発明の効果】
【００１０】
本発明によれば、装置の主電源スイッチをオンするときに、タッチパネルだけを操作して、当該装置を特殊動作モードに移行させることができる。
【００１１】
また、特殊動作モードの種類を指定して移行させることができる。
【００１２】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１３】
添付図面は明細書に含まれ、その一部を構成し、本発明の実施形態を示し、その記述と共に本発明の原理を説明するために用いられる。
【図１】本発明の実施形態１に係る画像形成装置（ＭＦＰ）の概観形状を示す図。
【図２】実施形態１に係るＭＦＰの概略構成を説明するブロック図。
【図３】実施形態１に係るＭＦＰの操作部のハードウェア構成を説明するブロック図。
【図４】実施形態１に係るＭＦＰの制御部のハードウェア構成を説明するブロック図。
【図５】実施形態１に係るＭＦＰの操作部による処理を説明するフローチャート。
【図６】図５のフローチャートで示す処理を実行するときの動作タイミングを説明する図。
【図７】図５のＳ５０９で操作者がＥＸＩＴボタンを押下したときの処理を説明するタイミングチャート。
【図８】図５のＳ５０３で表示部に表示されるキーボード画面の一例を示す図。
【図９】実施形態２に係るＭＦＰの操作部による処理を説明するフローチャート。
【図１０】実施形態２に係る図９のＳ９０９で、操作者がＥＸＩＴボタンを押下したときの処理を説明するタイミングチャート。
【発明を実施するための形態】
【００１４】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。尚、この実施形態では、画像形成装置を例に本発明に係る情報処理装置の一例を説明するが、この情報処理装置は、このような画像形成装置に限らず、通信装置、ＰＣ等のコンピュータ機器、ゲーム機等の各種機器にも適用できる。
【００１５】
［実施形態１］
図１は、本発明の実施形態１に係る画像形成装置の概観形状を示す図である。
【００１６】
この画像形成装置は、複数の機能を備える多機能処理装置１００（以下、ＭＦＰ（Ｍｕｌｔｉ  Ｆｕｎｃｔｉｏｎａｌ  Ｐｅｒｉｐｈｅｒａｌ））として説明する。実施形態１に係るＭＦＰ１００の本体には、操作部１０２及び主電源スイッチ１０３が設けられている。操作部１０２は、タッチパネル機能を有する表示パネルを有している。このＭＦＰ１００は、スキャナ部、プリンタ部を有し、コピー、印刷、ファクシミリ送受信、画像データ等を保存するボックス機能等の各種機能を実行できる。
【００１７】
図２は、実施形態１に係るＭＦＰ１００の概略構成を説明するブロック図である。
【００１８】
ＭＦＰ１００は、上述の表示パネルを搭載する操作部１０２と、操作部１０２からの入力や操作部１０２への画面表示を制御し、またスキャナ部２１４、プリンタ部２１５を制御する制御部２１２、及び電源制御部２１３、主電源スイッチ１０３を有している。制御部２１２は、スキャナ部２１４、プリンタ部２１５、操作部１０２と電気的に接続されており、電源制御部２１３からの電力を各部に供給する。操作部１０２及び制御部２１２の機能の詳細は、図３、図４を参照して後述する。
【００１９】
図３は、実施形態１に係るＭＦＰ１００の操作部１０２のハードウェア構成を説明するブロック図である。
【００２０】
操作部１０２は、ＣＰＵ３０４、ＲＯＭ３０２、ＲＡＭ３０３、表示部３０５、タッチパネル制御部３０６、本体接続部３０７を有している。ＣＰＵ３０４はＲＯＭ３０２に記憶されているプログラムを実行することにより、後述するフローチャートに従って、この操作部１０２の動作を制御している。ＲＡＭ３０３はＣＰＵ３０４がプログラムを実行して操作部１０２の動作を制御する際、各種データを一時保存するワークエリアとして使用される。タッチパネル制御部３０６は、ユーザによる表示部３０５の画面へのタッチ操作などを検知するとタッチセンサ信号３１０を出力してＣＰＵ３０４に伝える。表示部３０７は、その画面にタッチパネルを有し、本体接続部３０７を介して入力される表示データに従ってＭＦＰ１００の状態を表示したり、ＭＦＰ１００の設定を行なうための確認表示等を行なう。本体接続部３０７は、ＭＦＰ１００の制御部２１２と操作部１０２との間の情報をやり取りする有線インターフェースである。本体接続部３０７は、図示していないがデータ信号線や制御信号線及び電力供給線を介して制御部２１２と操作部１０２とを接続している。タイマ３０８は、ＣＰＵ３０４の指示に従って時間を計時し、指示された所定時間が経過すると割り込みなどによりＣＰＵ３０４に通知して、タイムアウトが発生したことを知らせる。
【００２１】
図４は、実施形態１に係るＭＦＰ１００の制御部２１２のハードウェア構成を説明するブロック図である。
【００２２】
ＣＰＵ４０２は、ＭＦＰ１００全体を制御する中央演算ユニットであり、後述する各部とシステムバス４１１を介して接続されている。ＲＡＭ４０３は、ＣＰＵ４０２が動作するためのワークメモリを提供しており、ＣＰＵ４０２の演算データや、実行中の各種プログラムを記憶する。またＲＡＭ４０３は、印刷時等に画像処理部４０６で種々の画像処理が施された画像データを保持する画像メモリとしても利用される。ＲＯＭ４０４はブートプログラムや各種設定データ等を記憶しており、ＣＰＵ４０２は、このブートプログラムを実行して記憶装置４０５に格納されているプログラムをＲＡＭ４０３に展開して実行する。記憶装置４０５は、プログラムやデータを保存しておくための不揮発の２次記憶装置である。プリンタＩ／Ｆ４０８は、プリンタ部２１５とのインターフェースを司り、スキャナＩ／Ｆ４０９は、スキャナ部２１４とのインターフェースを司る。操作部Ｉ／Ｆ４０７は、制御部２１２と操作部１０２との間でデータ通信を行って、ＭＦＰ１００の各種設定操作を受付け、また操作部１０２の表示部３０７に画像やアラーム等の表示を行なう。外部Ｉ／Ｆ４１０は、不図示のパソコンなどの情報機器と接続して通信を行う。
【００２３】
尚、本実施形態１では、制御部２１２と操作部１０２がそれぞれＣＰＵを有し、これらＣＰＵで処理を分担するものとして以下説明するが、例えば制御部２１２のＣＰＵが、以下に説明する全ての処理を実行する構成であっても良い。
【００２４】
図５は、実施形態１に係るＭＦＰ１００の操作部１０２による処理を説明するフローチャートである。この処理を実行させるためのプログラムはＲＯＭ３０２に記憶されており、ＣＰＵ３０４がＲＯＭ３０２からこのプログラム読み出して実行することにより、このフローチャートで示す処理が実行される。
【００２５】
この処理は、操作者が操作部１０２の画面に触れながら主電源スイッチ１０３をオンにするか、或いは、操作部１０２の画面に触れることなく、主電源スイッチ１０３だけを操作して、ＭＦＰ１００の電源をオンすることにより開始される。
【００２６】
まずＳ５０１でＣＰＵ３０４は、表示部３０５及びタッチパネル制御部３０６を初期化した後、タッチパネル制御部３０６からタッチセンサ信号３１０が入力されて、操作者が表示部３０５のタッチパネルにタッチしているかどうか判定する。尚、ここでＣＰＵ３４０は、所定回数、タッチセンサ信号を検知し、その連続した検知の全てで、タッチセンサ信号がハイレベル、即ち、表示部３０５の画面にタッチしていることを示す場合にＣＰＵ３０４は、操作者がタッチパネルに触れていると判定する。ここで操作者が表示部３０５のタッチパネルにタッチしていないと判定するとＳ５０２に進みＣＰＵ３０４は、制御部２１２のＣＰＵ４０２に対して通常動作モードで立ち上げるように指示して、この処理を終了する。
【００２７】
Ｓ５０１で操作者がタッチパネルに触れていると判定するとＳ５０３に進みＣＰＵ３０４は、例えば表示部３０５に、例えば図８に示すようなキーボード画面を表示する表示制御を行う。そしてＳ５０４に進みＣＰＵ３０４は、表示部３０５にテンキーを表示してからの時間をタイマ３０８により計時し、Ｓ５０５で、その経過した時間が所定時間になったか、即ち、タイマによるタイムアウトが発生したかどうか判定する。ここでタイムアウトが発生すると、即ち、操作者が何の操作も行わないときはＳ５１１に進み、制御部２１２のＣＰＵ４０２に対して、電源オフを指示してこの処理を終了する。これによりＣＰＵ４０２は、不図示のシャットダウン信号により主電源スイッチ１０３をオフにして、電源制御部２１３への電源供給を切断してＭＦＰ１００を電源オフの状態にする。これはテンキーを表示してから所定時間内に、操作者がそのテンキーを使用してデータを入力しない場合の処理である。
【００２８】
一方、Ｓ５０５でタイムアウトが発生していないときはＳ５０６に進みＣＰＵ３０４は、表示したテンキーが操作されて数値が入力されてＯＫボタン８０２がタッチされたかどうかを判定する。数値が入力されてＯＫボタン８０２が押下されたと判定したときはＳ５０７に進みＣＰＵ３０４は、後述する表１に示すテーブルを参照して、その入力された番号に対応する特殊動作モードを判別する。そしてＳ５０８に進みＣＰＵ３０４は、その特殊動作モードを実行するように制御部２１２のＣＰＵ４０２に通知して、この処理を終了する。尚、表１に示すテーブルはＲＯＭ３０２に記憶されている。
【００２９】
一方、Ｓ５０６でＯＫボタン８０２が押下されないときはＳ５０９に進みＣＰＵ３０４は、ＥＸＩＴボタン８０３が押下されたかどうか判定する。Ｓ５０９でＥＸＩＴボタン８０３が押下されたとき、或いはＳ５０８で表１に示すテーブルに登録されていない番号が入力されたと判定するとＳ５１０に進む。Ｓ５１０でＣＰＵ３０４は、ＭＦＰ１００を再起動するように制御部２１２のＣＰＵ４０２に通知して、この処理を終了する。
【００３０】
図６は、図５のフローチャートで示す処理を実行するときの動作タイミングを説明する図である。
【００３１】
ここでは操作者は、表示部３０５のタッチパネルにタッチしている状態で主電源スイッチ１０３をオンにする。ここで操作者が表示部３０５のタッチパネルにタッチすると、タッチパネル制御部３０６から出力されるタッチセンサ信号３１０がハイレベルになる。従って、６０１でＣＰＵ３０４は、タッチセンサ信号３１０がハイレベルであることを３回連続して検知すると、操作者が表示部３０５のタッチパネルにタッチしていると判定する。これは図５のＳ５０１の処理に相当している。
【００３２】
こうして、操作者が表示部３０５のタッチパネルにタッチしていると判定すると、６０２で、表示部３０５に、例えば図８に示すキーボード画面を表示する。これにより操作者は、特殊動作モードに移行できる状態でＭＦＰ１００が起動したことが確認できたため、タッチパネルから指を離してタッチしていない状態になる。
【００３３】
図８は、図５のＳ５０３で表示部３０５に表示されるキーボード画面の一例を示す図である。
【００３４】
この画面は、「０」から「９」までのテンキーに相当するボタン群８０１と、テンキーで入力した番号を確定する「ＯＫ」ボタン８０２と、この画面から抜け出すための「ＥＸＩＴ」ボタン８０３を含んでいる。
【００３５】
この画面を表示するのと同時に、タイマ３０８による開示を開始する。操作者は、タイマ３０８が所定時間を計時する前に、この画面を介して番号を入力してＯＫボタン８０２を押下する（６０３）。これによりＣＰＵ３０４は、６０４で、図５のＳ５０８で説明したように、その入力された番号に対応する特殊機能を決定し、６０５で、その決定した特殊機能を制御部２１２のＣＰＵ４０２に通知する。これにより表示部３０５の表示は、６０６で、その特殊機能の画面に遷移する。表１は、テンキーで入力された番号と、特殊機能との対応を示すテーブルである。
【００３６】
【表１】
2017102740.tif 000003
【００３７】
次に、図５のＳ５０１でＣＰＵ３０４がタッチセンサ信号３１０を検知しなかった場合について説明する。
【００３８】
ここでＣＰＵ３０４がタッチセンサ信号３１０を検知しない場合は、次の場合が考えられる。
・操作者が、最初からタッチパネルに触れていない。
・操作者が、タッチパネルに触れているが、検知期間の３回の検知回数のうち１回でも検知できなかった。
【００３９】
上記のいずれの場合においても、操作者の動作としてタッチパネルに触れていない（特殊動作モードに移行させる意思が無い）と判定できるので、ＭＦＰ１００を通常動作モードで立ち上げる。ここで通常動作モードにおける各々の処理を説明する。
【００４０】
操作者がＭＦＰ１００の主電源スイッチ１０３をオンすると、制御部２１２のＣＰＵ４０２はＲＯＭ４０４のブートプログラムを実行して記憶装置４０５にインストールされているプログラムをＲＡＭ４０３に展開して実行できるようにする。また制御部２１２のＣＰＵ４０２は、ＣＰＵのクロック設定、ＣＰＵのポート設定、ＣＰＵのメモリコントローラ設定、ＲＡＭ４０３の初期化及び設定、操作部１０２の設定（表示部３０５、タッチパネル制御部３０６の初期化）を行なう。これらは図５のＳ５０１に進んだ時点で完了している。その後、ＣＰＵ４０２は、記憶装置４０５、プリンタＩ／Ｆ４０８、スキャナＩ／Ｆ４０９、及び外部Ｉ／Ｆ４１０の設定、プリンタ部１５やスキャナ部１４への電源供給などを行ない、操作部１０２の表示はスタンバイ状態を示す画面になる。
【００４１】
図７は、実施形態１に係る図５のＳ５０９で操作者がＥＸＩＴボタン８０３を押下したときの処理を説明するタイミングチャートである。前述の図６と共通する部分は同じ参照番号で示し、それらの説明を省略する。
【００４２】
７０１で操作者がＥＸＩＴボタン８０３にタッチすると、７０２で、ＣＰＵ３０４がそれを検知する。これは図５のＳ５０９でＹＥＳと判定することに該当している。このときＣＰＵ３０４はＳ５１０で、制御部２１２のＣＰＵ４０２にＭＦＰ１００を再起動するように通知する（７０３）。これにより７０４で、ＣＰＵ４０２はＭＦＰ１００を再起動させ、表示部３０５に初期画面を表示させる。
【００４３】
ここで言う再起動とは、制御部２１２のＣＰＵ４０２がソフトまたはハード的なリセット命令を検知して、ＲＯＭ４０４のプログラム（又はＣＰＵ４０２にあるマイクロコード）を実行することを指す。これ以降の動作は前述しているので省略する。
【００４４】
以上説明したように実施形態１によれば、操作部のハードウェアキーを使用せずに、タッチパネルだけを使用しても、装置を特殊機能モードに移行させることができる。
【００４５】
［実施形態２］
次に本発明の実施形態２として、実施形態１のＥＸＩＴボタン８０３が押下されたときに通常動作モードに移行する例を説明する。尚、実施形態２に係るＭＦＰ１００のハードウェア構成は前述の実施形態１の場合と同じであるため、その説明を省略する。
【００４６】
図９は、実施形態２に係るＭＦＰ１００の操作部１０２による処理を説明するフローチャートである。この処理を実行させるためのプログラムはＲＯＭ３０２に記憶されており、ＣＰＵ３０４がＲＯＭ３０２からこのプログラム読み出して実行することにより、このフローチャートで示す処理が実行される。
【００４７】
尚、図９において、Ｓ９０１〜Ｓ９０９，Ｓ９１１の処理は、図５のＳ５０１〜Ｓ５０９，Ｓ５１１に相当しているため、それらの説明を省略する。
【００４８】
図９のフローチャートでは、Ｓ９０７で登録されている番号でないときはＳ９１１に進んで、制御部２１２のＣＰＵ４０２に電源オフを指示しているが、別の実施形態として、例えばＳ９０２の通常動作モードで起動する処理に進んでも良い。
【００４９】
Ｓ９０９でＣＰＵ３０４はＥＸＩＴボタン８０３が押されたことを検知するとＳ９０２に進み、ＣＰＵ３０４は制御部２１２のＣＰＵ４０２に、ＭＦＰ１００を通常動作モードで起動させるように通知する。
【００５０】
図１０は、実施形態２に係る図９のＳ９０９で、操作者がＥＸＩＴボタン８０３を押下したときの処理を説明するタイミングチャートである。前述の図７と共通する部分は同じ参照番号で示し、それらの説明を省略する。
【００５１】
図１０において、７０１で操作者が、ＥＸＩＴボタン８０３を押下すると、７０２でＣＰＵ３０４がそれを検知し、１００１で制御部２１２のＣＰＵ４０２に対して、通常動作モードで起動するように通知している。これによりＣＰＵ４０２は、記憶装置４０５、プリンタＩ／Ｆ４０８、スキャナＩ／Ｆ４０９、及び外部Ｉ／Ｆ部４１０の設定を行い、プリンタ部１５とスキャナ部１４への電源供給などを行ない、１００２で初期画面を操作部１０２に表示する。
【００５２】
以上説明したように実施形態２でも実施形態１と同様に、ハードキーを含まないタッチパネルを搭載した操作部を有するＭＦＰでも、電源オン直後に、タッチパネルの操作で、通常動作モード以外の特殊動作モードへ移行するように指示することができる。
【００５３】
また、テンキーで特殊動作の種類を指定できるため、複数の特殊動作モードへの移行するように指示できる。
【００５４】
また、誤った操作で、特殊動作モードに容易に移行してしまうのを防止できる。また操作者が意図せずに、上記キーボード画面が表示された状態になった場合でも、例えばＥＸＩＴボタンを押下したり、或いは所定時間、その画面でキー操作を行わないようにすることで、装置を再起動或いは電源オフ状態に移行できる。
【００５５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５６】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００５７】
１００…画像形成装置（ＭＦＰ）、１０２…操作部、１０３…主電源スイッチ、２１２…制御部、３０４…ＣＰＵ、３０５…表示部、４０２…ＣＰＵ
【図１】
2017102740.tif 000004
【図２】
2017102740.tif 000005
【図３】
2017102740.tif 000006
【図４】
2017102740.tif 000007
【図５】
2017102740.tif 000008
【図６】
2017102740.tif 000009
【図７】
2017102740.tif 000010
【図８】
2017102740.tif 000011
【図９】
2017102740.tif 000012
【図１０】
2017102740.tif 000013